(57)【特許請求の範囲】
【請求項１】
燃焼によりガスを発生させるガス発生剤が装填された装填筒体と、前記ガス発生剤を通電により着火燃焼させる着火手段と、前記装填筒体の上面部及び側面部を覆うように嵌合する封止部材と、前記装填筒体及び前記着火手段を前記封止部材とともに収納固定する金属製のホルダと、を備え、
前記封止部材は、樹脂製であって、前記装填筒体の中心部を除く上面部及び側面部を覆うように形成されていると共に、前記装填筒体の側面部全域をカバーするように形成され、前記ホルダは、前記装填筒体の前記上面部の前記中心部を露出させているガス発生器。
【請求項２】
燃焼によりガスを発生させるガス発生剤が装填された装填筒体と前記ガス発生剤を通電により着火燃焼させる着火手段とを備えた点火器と、前記装填筒体の上面部及び側面部を覆うように嵌合する封止部材と、前記点火器を前記封止部材とともに収納固定する金属製のホルダと、を備え、
前記封止部材は、樹脂製であって、前記装填筒体の中心部を除く上面部及び側面部を覆うように形成されていると共に、前記装填筒体の側面部全域をカバーするように形成され、前記ホルダは、前記装填筒体の前記上面部の前記中心部を露出させているガス発生器。
【請求項３】
前記ホルダは、前記点火器を前記封止部材とともに、前記封止部材の上面でかしめ固定している請求項２に記載のガス発生器。
【請求項４】
消火装置の起動に用いられる請求項１又は２に記載のガス発生器。
【発明の詳細な説明】
【０００１】
【発明の属する技術分野】
本発明は、ガス発生器に関し、特に、消火装置等の起動に好適なガス発生器に関する。
【０００２】
【従来の技術】
火災の発生を火災感知器で検出し、消火装置に設けられた差圧弁等を開弁し、消火装置内の消火剤を噴出させるようにした消火装置がある。
【０００３】
従来より、この種の消火装置の差圧弁等を開弁し、消火装置を起動させるものとして、ガス発生器が多く用いられている。
【０００４】
これらガス発生器には、消火装置への取付性や、小型化、低コスト化が要望されている。そのため、ガス発生器によるガス発生量を低下させることなく、また、安全性を維持しつつ、ガス発生器の構成部品を少なくする必要がある。
【０００５】
【発明が解決しようとする課題】
本発明に係るガス発生器は、ガス発生器によるガス発生量を低下させることなく、また、安全性を維持しつつ、ガス発生器の構成部品を少なくし、小型化及び低コスト化したガス発生器を提供することを目的とする。
【０００６】
【課題を解決するための手段】
前記課題を解決するための請求項１に記載のガス発生器は、燃焼によりガスを発生させるガス発生剤が装填された装填筒体と、前記ガス発生剤を通電により着火燃焼させる着火手段と、前記装填筒体の上面部及び側面部を覆うように嵌合する封止部材と、前記装填筒体及び前記着火手段を前記封止部材とともに収納固定する金属製のホルダと、を備えたものである。また、前記封止部材は、樹脂製であって、前記装填筒体の中心部を除く上面部及び側面部を覆うように形成されていると共に、前記装填筒体の側面部全域をカバーするように形成されている。さらに、前記ホルダは、前記装填筒体の前記上面部の前記中心部を露出させている。
この構成によると、構成部品を少なくすることが可能となるとともに、ガス発生器の小型化が可能となる。また、ガス発生剤が装填された装填筒体の上面の中心部から集中してガスを噴出させることができる。このため、ガス発生剤の燃焼により発生するガスを効率良く利用することができるため、ガス発生剤の量を少なくすることが可能となり、ガス発生器の小型化が可能となる。さらに、ホルダが金属製の場合に、樹脂製の封止部材が装填筒体の側面部全域をカバーしているため、点火器に迷走電流が生じるのを防止することができる。このため、点火器の静電気等による誤作動を確実に防止することができる。
【０００７】
また、請求項２に記載のガス発生器は、燃焼によりガスを発生させるガス発生剤が装填された装填筒体と前記ガス発生剤を通電により着火燃焼させる着火手段とを備えた点火器と、前記装填筒体の上面部及び側面部を覆うように嵌合する封止部材と、前記点火器を前記封止部材とともに収納固定する金属製のホルダと、を備えたものである。また、前記封止部材は、樹脂製であって、前記装填筒体の中心部を除く上面部及び側面部を覆うように形成されていると共に、前記装填筒体の側面部全域をカバーするように形成されている。さらに、前記ホルダは、前記装填筒体の前記上面部の前記中心部を露出させている。
この構成によると、構成部品を少なくすることが可能となるとともに、ガス発生器の小型化が可能となる。また、ガス発生剤が装填された装填筒体の上面の中心部から集中してガスを噴出させることができる。このため、ガス発生剤の燃焼により発生するガスを効率良く利用することができるため、ガス発生剤の量を少なくすることが可能となり、ガス発生器の小型化が可能となる。さらに、ホルダが金属製の場合に、樹脂製の封止部材が装填筒体の側面部全域をカバーしているため、点火器に迷走電流が生じるのを防止することができる。このため、点火器の静電気等による誤作動を確実に防止することができる。
【０００９】
また、請求項３に記載のガス発生器は、請求項２において、前記ホルダは、前記点火器を前記封止部材とともに、前記封止部材の上面でかしめ固定しているものである。この構成によると、点火器及び封止部材をホルダのみで一体に固定することができる。このため、組立が容易に行えるとともに、固定時における部品数を低減することが可能となる。また、点火器を上面側から固定するため、ガスの噴出方向と反対の方向の押し付け力で固定することが可能となり、点火器の固定力が向上する。
【００１１】
また、請求項４に記載のガス発生器は、請求項１又は２において、消火装置の起動に用いられるものである。火災感知器からの信号によって、点火器が点火し、装填筒体内に装填されているガス発生剤が燃焼し、瞬時に多量のガスが発生する。これによって、消火装置に設けられている差圧弁等を開弁することができる。
【００１２】
【発明の実施の形態】
以下、図面を参照しつつ本発明に係るガス発生器の実施形態の一例について説明する。
【００１３】
図１に示すガス発生器Ｇは、燃焼によりガスを発生させるガス発生剤が装填された装填筒体１と、ガス発生剤を通電により着火燃焼させる着火手段とを備えた点火器２と、装填筒体１の中心部を除く上面部３及び側面部４を覆うように嵌合する両端が開口した封止部材５と、点火器２を封止部材５とともに収納固定するホルダ６とを備えている。
【００１４】
点火器２は、円筒のコップ形状に形成されて内部に伝火剤、ガス発生剤が装填された装填筒体１と、伝火剤、ガス発生剤を電極ピン８，９への通電により着火燃焼させる着火部２ａとで構成されている。なお、本実施形態例においては、装填筒体１内に伝火剤及びガス発生剤が収容されている場合について説明するが、ガス発生剤を別の容器等に収容し、所望に応じて伝火剤等を含む着火手段と連接させて、これらを封止部材５によって、嵌合するようにすることもできる。
【００１５】
封止部材５は、両端が開口した円筒形状に加工されている。封止部材５は、その内径が、点火器２の装填筒体１の側面部４の外径と同じかやや大きめの径となるように形成されている。また、一端５ａ側は、点火器２の塞栓７のテーパー面７ａに合致するような形状に形成されている。また、他端５ｂ側は、中心に向って突出する突出部５ｃが形成されている。これによって、点火器２の上面部３の中心部を除き装填筒体１の側面部４から、上面部３にかけて覆うことが可能となる。このため、ガス発生剤が装填された装填筒体１の上面部３の中心部から集中してガスを噴出させることができる。さらに、装填筒体１の側面部４の全面にわたって配置されるため、消火装置等に装着された場合であっても、締め付け圧力や、外部からの衝撃が装填筒体１に直接付加されないようになるなど、装填筒体１を保護する役目も果たす。
【００１６】
なお、封止部材５の他端５ｂ側に、装填筒体１の上面部３の中心部に孔が形成されている構造でなくても、例えば、装填筒体１の上面部３からのガスの噴出力によって容易に破裂するように肉薄に形成することもできる。また、破裂しやすいように切り欠き等を形成しておくこともできる。
【００１７】
この封止部材５としては、例えば、ポリブチレンテレフタート、ポリエチレンテレフタート、ナイロン６、ナイロン６６、ポリフェニレンスルフィド、ポリフェニレンオキシド等の樹脂や、これらにガラス繊維等を含有させたものによって形成されている。このため、後述するホルダ６が金属製の場合であっても、点火器２に迷走電流が生じることが防止できる。
【００１８】
ホルダ６は、例えば、アルミニウム等の金属で形成され、側筒部１０には、消火装置等への取り付けのためにネジ１１が形成されている。また、側筒部１０には、凹部１２が形成され、Ｏ−リング等のシール部材１３が設けられている。このシール部材１３によって、消火装置２１（図２参照）等へ取り付けられた時に消火装置内を封止することができる。また、ホルダ６の内周部には、凸部１４が設けられており、点火器２をシール部材１５を介して載置できるようになっている。そして、ホルダ６の端部１６は径内方に向って折り曲げられ、封止部材５をかしめ固定しており、これにより点火器２がホルダ６に固定されている。なお、ホルダ６は、消火装置等への取り付けに際し、側筒部１０の外周に形成されているネジ１１のかわりに、例えば、凹部若しくは凸部等を形成し、消火装置等にかしめて固定するなど、種々の固定手段を利用することができる。
【００１９】
以上の構成部品からなるガス発生器Ｇは、ホルダ６内の凸部１４にシール部材１５を設置し、次に点火器２を挿入した後、封止部材５を点火器２の装填筒体１に被せるようにしてホルダ６内に挿入し、ホルダ６の端部１６を内側に折り曲げ、封止部材５の上面でかしめ固定されて構成される。このように、点火器２及び封止部材５をホルダ６のみで一体に固定することができる。このため、組立が容易に行えるとともに、固定時における部品数を低減することが可能となる。また、点火器２を上面側から固定するため、ガスの噴出方向と反対の方向の押し付け力で固定することが可能となり、点火器２の固定力が向上する。
【００２０】
次に、本実施形態例に係るガス発生器Ｇを消火装置の起動用に用いる場合の一例について説明する。
【００２１】
図２及び図３は、本実施形態に係るガス発生器が、消火装置の起動用として用いられる一例の断面概略図である。図２はガス発生器Ｇの作動前、図３はガス発生器Ｇの作動後を示すものである。
【００２２】
図２に示すように、ガス発生器Ｇは、消火装置２０の圧力シリンダー２１の一端に装着される。このとき、ガス発生器Ｇに設けられたシール部材１３によって、圧力シリンダー２１の内部空間２２を密封する。また、圧力シリンダー２１の他端には、ピストン２３が装着されている。このピストン２３は、シール部材２４によって、内部空間２２を確実に封入している。ピストン２３は、消化剤容器弁２５内に設けられ、開口３０を開閉することによって消火剤を消化剤放出口２６から放出させる弁体２７の弁軸２８と突き合わされている。通常、弁体２７は消化剤室２９の圧力によって、図２に示すように開口３０を閉じた状態となっている。
【００２３】
ガス発生器Ｇが作動すると、図３に示すように、ガス発生器Ｇから瞬時に発生する多量のガスによって、圧力シリンダー２１内の内部空間２２内の圧力が高まる。そして、消化剤室２９内の圧力よりも高くなり、ピストン２３が圧力シリンダー２１から突き出すように移動して弁体２７を押す。これによって、弁体２７は、消化剤室２９内に移動して、開口３０を開き、消化剤を放出する。
【００２４】
このように、本実施形態例に係るガス発生器Ｇは、構成物品が少なく小型化され、組立性に優れる製造コストの低減化が可能となる。また、封止部材によって、ガス発生剤が装填されている装填筒体が保護されるため、機械的強度にも優れ、消火装置等の起動用として好適に使用できる。なお、本実施形態例に示した消火装置は、本実施形態例に係るガス発生器の適用例の一つであり、消火装置の形態については、本実施形態例に示すものに限定されない。
【００２５】
【発明の効果】
本発明のガス発生器によると、ガス発生剤が装填された装填筒体の上面の中心部から集中してガスを噴出させることができる。このため、ガス発生剤の燃焼により発生するガスを効率良く利用することができるため、ガス発生剤の量を少なくすることが可能となり、ガス発生器の小型化が可能となる。また、着火手段を備えた点火器及び封止部材をホルダのみで一体に固定することができる。このため、組立が容易に行えるとともに、固定時における部品数を低減することが可能となる。さらに、点火器を上面側から固定するため、ガスの噴出方向と反対の方向の押し付け力で固定することが可能となり、点火器の固定力が向上する。また、ホルダが金属製の場合に、樹脂製の封止部材が装填筒体の側面部全域をカバーしているため、点火器に迷走電流が生じるのを防止することができる。このため、点火器の静電気等による誤作動を確実に防止することができる。また、火災感知器からの信号によって、点火器が点火し、装填筒体内に装填されているガス発生剤が燃焼し、瞬時に多量のガスが発生する。これによって、消火装置に設けられている差圧弁等を開弁することができる。
【図面の簡単な説明】
【図１】本発明に係るガス発生器の実施形態の一例を示す断面図である。
【図２】本発明に係るガス発生器の実施形態の一例のガス発生器を、消火装置の起動用として使用する場合の一例を示す断面図であり、ガス発生器の起動前の状態を示す図である。
【図３】本発明に係るガス発生器の実施形態の一例のガス発生器を、消火装置の起動用として使用する場合の一例を示す断面図であり、ガス発生器の起動後の状態を示す図である。
【符号の説明】
Ｇ  ガス発生器
１  装填筒体
２  点火器
３  上面部
４  側面部
５  封止部材
６  ホルダ
７  塞栓
８，９  電極ピン
１０  側筒部
１１  ネジ
１２  凹部
１３  シール部材
１４  凸部
１５  シール部材
１６  ホルダ端部
２０  消火装置
【図１】
0004629265.tif 000002
【図２】
0004629265.tif 000003
【図３】
0004629265.tif 000004